(57)【要約】      （修正有）【課題】まくら全体を洗濯し、乾燥時にまくらの内部を簡単に展開できるとともに、簡便に物干し乾燥することができるまくらを提供する。【解決手段】まくらの上半部２と下半部３の一辺を相互に連接してその連接辺９を中心に開閉可能にするとともに、ファスナーによりそれらを閉じた状態、開放状態に保持可能とし、上半部と下半部を閉じた状態でその間に収容され、内部に中材１１を出し入れ可能に収納するメッシュ袋体１３を下半部の連接辺の対向辺近傍に連接する。ファスナーを開放して、まくら上半部および下半部とともに、袋体をも展開して開放することにより、まくら上半部および下半部と、袋体とを全体として扁平な状態に展開可能とし、まくら全体を物干し乾燥することができるようにした。【選択図】図７
0003231298.tif 000002
【実用新案登録請求の範囲】
【請求項１】
一辺で相互に連接し、この一辺を中心として回動して接離可能な上半部および下半部を有するまくら本体と、
前記上半部および前記下半部を閉じた状態に保持するとともに開放状態とすることが可能な保持体と、
前記下半部の前記一辺とは反対側の辺の近傍の連接辺で連接されるとともに、前記上半部および前記下半部を閉じた状態でその間に収容され、内部に中材を出し入れ可能に収納する通気性、通水性を有する袋体と
を有してなり、
前記保持体を開放してまくら本体の前記上半部および前記下半部を開放するとともに、前記袋体を前記まくら本体の前記下半部との前記連接辺を中心として回動して開放することにより、前記まくら本体、前記袋体を展開可能としたことを特徴とするまくら。
【請求項２】
前記保持体は、ファスナーであることを特徴とする請求項１記載のまくら。
【請求項３】
前記ファスナーは、頭合せファスナーであることを特徴とする請求項２記載のまくら。
【請求項４】
前記上半部の開放端辺側に、物干し用係止部を設けたことを特徴とする請求項１記載のまくら。
【請求項５】
前記物干し用係止部は、物干し竿が挿通可能なループであることを特徴とする請求項４記載のまくら。
【請求項６】
前記袋体は、メッシュ材料からなることを特徴とする請求項１記載のまくら。
【考案の詳細な説明】
【技術分野】
【０００１】
本考案は、まくらに係り、開閉可能な上半部および下半部を有するまくら本体を有し、洗濯、乾燥の取扱いが容易なまくらに関するものである。
【背景技術】
【０００２】
一般に、まくらは、柔軟なまくら本体に必要に応じてまくらカバーをかけて使用するが、使用後に、まくらカバーやまくらを洗濯機に投入して、洗濯、脱水し、その後、物干し場等で天日干しして清潔に使用したいとの要請がある。
【０００３】
この場合、洗濯にあたっては、まくら全体を丸ごと洗濯機に投入して洗濯し、脱水して、そのまま物干し場等で天日干しして乾燥するが、洗濯により、その内部のクッション材等の内蔵物まで十分に洗濯できているか不安であり、さらに天日干し等の乾燥にも時間がかかり、満足できていない。
【０００４】
このように、まくらの洗濯、脱水、および乾燥において、丸ごと洗濯し、乾燥する場合は、内部の中材を含めて充分に満足できる洗濯がされていない恐れがあるばかりでなく、物干し場等における置き場所に工夫が必要となるとともに、乾燥にも時間がかかるという不具合があった。
【０００５】
また、まくら本体内に寝心地調整用の中材を挿入取出し可能に設置するものにあっては、実用新案登録第３１１７０８１号のように、その形状を洗濯しやすいように工夫したものもあるが、結局はその中材等をまくら本体から分離して、それぞれを洗濯、脱水し、乾燥する場合には、まくら本体および内部の中材の乾燥時の物干し場等におけるそれぞれの置き場所には不便が伴うものであり、その取扱いがわずらわしいという不具合があった。
【先行技術文献】
【特許文献】
【０００６】
【特許文献１】実用新案登録第３１１７０８１号公報
【考案の概要】
【考案が解決しようとする課題】
【０００７】
まくらを洗濯した場合に、まくらやその中材を物干し場で乾燥することになるが、物干し場におけるまくら本体や中材の置き場所に苦労することがあり不具合である。
【０００８】
すなわち、まくらの洗濯および乾燥においては、まくらを洗濯機に投入して丸ごと洗濯し、乾燥する場合は、まくら本体内部の中材の充分な洗濯ができない恐れがあるばかりでなく、また、物干し場における乾燥にも時間がかかるとともに乾燥時のそれぞれの置き場所に不便が伴うばかりでなく、それぞれが別個にばらばらになるのでその取扱いがわずらわしいという不具合があった。
【０００９】
まくら全体を洗濯、脱水し、乾燥時にまくらの内部を簡単に展開できるとともに、簡便に物干し乾燥することができるまくらの出現が望まれる。
【課題を解決するための手段】
【００１０】
本考案は、そのようなまくらを実現するためになされたもので、まくらの上半部と下半部の一辺をそれぞれ連接して開閉可能にするとともに、ファスナー等の保持体によりそれらを閉じた状態、開放状態に保持可能とし、その上半部および下半部を閉じた状態でその間に収容され、内部に中材を出し入れ可能に収納するメッシュ袋体を前記下半部の連接辺の対向辺近傍に連接する。
【００１１】
そして、この保持体を開放することにより、前記まくらの上半部および下半部とともに、前記袋体をも展開して開放することにより、前記まくらの上半部、下半部、および前記袋体をも全体として扁平な状態に展開可能とすることによって、そのような状態のまくら全体を、物干し、乾燥することができるようにしたものである。
【考案の効果】
【００１２】
以上のような構成によって、まくら全体を洗濯機に投入して、洗濯、脱水した後、ファスナー等の保持体を開くことによって、まくらの上半部および下半部を開放して展開し、さらに中材を収納した袋体をも開放して展開することによって、従来のように、まくら本体と、別体の中材とをそれぞれに物干し場において置き場所の選択に迷うようなことなく、まくら全体を扁平な状態に展開することができ、このようなまくら全体をそのまま、または、物干し係止部を利用して物干し場に掛けて、容易、かつ簡便に乾燥することができる。
【図面の簡単な説明】
【００１３】
【図１】本考案のまくらの一実施例を示す斜視図である。
【図２】図１に示すまくらの断面図である。
【図３】図１に示すまくらのファスナーが開き始めた状態を示す斜視図である。
【図４】図２に示す実施例のファスナーが完全に開いてまくらの上半部と下半部とを開放した状態を示す正面図である。
【図５】図４におけるまくらの開放状態から、さらに中材を収容した袋体を展開して扁平にした状態を示す正面図である。
【図６】図５におけるまくらの展開状態の側面図である。
【図７】図５に示す展開されたまくらを乾燥するために物干し竿に吊るした状態を示す正面図である。
【考案を実施するための形態】
【００１４】
以下、本考案を実施するための形態を添付図面にしたがって説明する。
【００１５】
この考案は、前述したような不具合を解消し、洗濯、乾燥がしやすいばかりでなく乾燥時に簡便に物干しによる吊り下げ乾燥ができるようにしたものであって、図１は、まくら１の一実施例を示す斜視図であって、このまくら１は、長辺１ａおよび短辺１ｂを有するほぼ長方形をなし、図２の断面図に示されるように、その上半部２および下半部３を有するまくら本体から構成される。
【００１６】
これらの上半部２および下半部３は、それぞれ、その外側が、柔軟な吸湿性、速乾性生地からなる例えばキルト模様の布製側地４、５、その内側がナイロン製側地６、７で構成され、それぞれその側地間には、まくら１の基本的内部機能を有する中材８、８として、ポリエステル綿等が、適量収容されて、全体としてまくら１の形状を形成している。
【００１７】
このまくら１の上半部２および下半部３は、その一辺を相互に縫い合わせて連接され、この第１の連接辺９を中心として回動され、相互に重ね合わされた状態と、展開して扁平な状態とをなすように構成される。このため、まくら本体の上半部２および下半部３は、第１の連接辺９を中心として回動して接離可能である。
【００１８】
さらにこの上半部２および下半部３の周縁には前記第１の連接辺９を除く全周にわたって、保持体としてのファスナー１０が取り付けられて、このファスナー（保持体）１０を開閉することによって、上半部２および下半部３を重ね合わせた保持状態と、それらを展開して扁平に開放状態とが得られるようにされる。すなわち、前記ファスナー１０は、望ましくは、頭合わせファスナーであって、図１に示すように、閉じた状態ではその引手１０ａ、１０ａが隣接し、開放状態では後述するように図４に示すように、その引手１０ａ、１０ａがそれぞれ前記第１の連接辺９の端部に位置する。
【００１９】
さらに、このまくら１の上半部２および下半部３が重ね合わされた状態ではその間に適切な中材１１が配置される。この中材１１は、洗濯可能な、綿材や、高反発または低反発ウレタン等の柔軟な材料から構成され、一側に隆起部１２を形成した形状をなしており、通気性、通水性を有するネット地（メッシュ材料）の袋体１３内にその開口１４を介して、出し入れ可能に収納されている。
【００２０】
そしてこの袋体１３は、図２、図４に明示されるように、その一辺を前記下半部３の連接辺９と反対側の辺の近傍であって、前記ファスナー１０の内側に縫い付けて第２の連接辺１５として連接されるとともにその開口１４端にはその開口を開閉するファスナー１６が設けられる。
【００２１】
したがって、前述したように、頭合わせファスナー１０を開放して、まくら１の上半部２および下半部３を開放すると、中材１１を収容した袋体１３も同様に下半部３面から展開して開放し、全体として扁平に展開可能となっている。
【００２２】
さらに、図４に示すように、前記上半部２の連接辺９とは反対側の辺縁（上半部２の開放端辺側）の両端部で、ファスナー１０の内側には、ループ状の係止部（物干し用係止部）１７、１７が縫い止めて設けられており、この係止部１７、１７のループ内には物干し竿Ｒが挿通可能な大きさになっている。
【００２３】
このように構成されたまくら１は、使用時は図１、２，３に示されるように、上半部２および下半部３を、中材１１を収納した袋体１３とともに、重ね合わせ、ファスナー１０を閉じた状態で使用する。
【００２４】
その使用は、使用者の好みに応じて、図２におけるまくら１の断面図の左側、すなわち中材１１の隆起部１２側を首側にして頭部を載せて使用する。
【００２５】
このように構成されたまくらを使用後、洗濯するに当たっては、例えば使用状態のまま、すなわち、ファスナー１０を閉じたまま、まくら１全体を、洗濯機に投入し、洗濯して、脱水する。まくら１全体を洗濯ネットに入れて、まくら１を洗濯する場合、ファスナー１０を開いた状態あるいは閉じた状態で洗濯機に投入して、洗濯して、脱水する。
【００２６】
そして、脱水後のまくら１のファスナー１０を引手１０ａ、１０ａを操作して、全周にわたって開き、重なり合っている上半部２を、第１の連接辺９を中心として回動し展開して、下半部３から開放し、さらに下半部３に重なり合っている袋体１３を第２の連接辺１５を中心に展開して開放し、まくら全体を扁平に展開する。
【００２７】
この状態から、これを乾燥するには、図７に示されるように、まくら１の上半部２に設けられたループ状の係止部１７、１７内に物干し竿Ｒを挿通して、展開状態のまくら１を吊り下げて干すことができる。
【００２８】
なお、この場合、ループ状の係止部１７、１７を使用することなく、扁平に展開されたまくら全体を下半部３と袋体１３との第２の連接辺１５を物干し竿Ｒに掛けて干すこと、または、まくら１の上半部２と下半部３との第１の連接辺９を物干し竿Ｒに掛けて干すことも可能である。
【００２９】
そして、充分な乾燥後、展開された状態のまくら１について、好みの中材１１を収容した袋体１３を下半部３に重ね、上半部２をその上に重ねて、ファスナー１０の引手１０ａ、１０ａを操作して、そのような重合状態を保持することによって、清潔なまくら１を再組立てして使用することができる。
【００３０】
この考案は、以上詳述したように構成されているので、洗濯、脱水後、まくら１のファスナー１０を開いて、まくら１の上半部２および下半部３、さらには、その間に収容されている中材１１の袋体１３をも展開して開放し、まくら１全体として扁平に展開して広げ、全体をそのまま、または、物干し用のループ状係止部を利用して簡便に干すことができるので、洗濯し、乾燥するのに極めて簡便なまくらを提供することができる。
【００３１】
なお、前述した実施例においては、まくら１の上半部２および下半部３の相互の保持、開放には、その周縁に設置したファスナー１０によったが、ファスナーに代えて、面ファスナー、ホック、ボタンとボタン穴等の保持部材を設けることもできる。
【００３２】
さらに、上半部２および下半部３の中材８、８には、綿材を収容したものについて説明したが、中材８、８としては、マイクロ粒綿、パイプ材も使用可能である。
【００３３】
また、袋体１３に収容した中材１１として、ウレタン等について説明したが、使用者の好みに応じて、他の中材を選択的に収容することができる。そして、袋体１３にはその開口１４にファスナー１６を設けたが、ファスナー１６を設けることなく、袋体１３の開口１４周縁を折り返して開口１４を閉じておくだけでも、袋体１３は、上半部２および下半部３によって挟持されるため、中材１１が不用意に移動するようなことはない。
【００３４】
さらに、物干し竿用のループ状係止部に代えて、物干し場の他の設備に係止できるように、所定長さの係止紐をそれぞれ一対設けておくことも可能であり、展開して扁平なまくら全体を掛け干すことを考慮すると、このような係止部は必ずしも必須ではないが、物干し竿Ｒを利用した乾燥には便利である。
【００３５】
なお、本考案は、上記実施例に限定されるものではなく、実施段階ではその要旨を逸脱しない範囲で種々に変形することが可能である。また、各実施例は適宜組み合わせて実施してもよく、その場合組み合わせた効果が得られる。更に、上記実施例には種々の考案が含まれており、開示される複数の構成要件から選択された組み合わせにより種々の考案が抽出され得る。例えば、実施例に示される全構成要件からいくつかの構成要件が削除されても、課題が解決でき、効果が得られる場合には、この構成要件が削除された構成が考案として抽出され得る。
【符号の説明】
【００３６】
１…まくら                    １１…中材
２…上半部                    １２…隆起部
３…下半部                    １３…袋体
４…側地                      １４…開口
５…側地                      １５…第２の連接辺
６…側地                      １６…ファスナー
７…側地                      １７、１７…係止部
８、８…中材
９…第１の連接辺
１０…ファスナー
１０ａ、１０ａ…引手
【図１】
0003231298.tif 000003
【図２】
0003231298.tif 000004
【図３】
0003231298.tif 000005
【図４】
0003231298.tif 000006
【図５】
0003231298.tif 000007
【図６】
0003231298.tif 000008
【図７】
0003231298.tif 000009